(57)【要約】【課題】検査対象を裏返す過程を省略することができ、これにより生じ得る不良を予め防止することができるとともに、検査対象の不良位置を容易に検出することができる目視検査治具及びこれを用いた目視検査システムを提供する。【解決手段】本発明による目視検査治具１００は、検査対象の配置領域及び検査対象の反射領域を含み、前記検査対象の配置領域に検査対象１０を載置し、透明材質で形成された検査プレート１１０と、検査プレート１１０の下部に形成され、前記検査対象の配置領域に載置された検査対象の後面１０ｂの像を反射して前記検査対象の反射領域に投映する反射鏡１２０と、を含むものである。【選択図】図１
2013101118.tif 000002
【特許請求の範囲】
【請求項１】
検査対象の配置領域及び検査対象の反射領域を含み、前記検査対象の配置領域に検査対象を載置し、透明材質で形成された検査プレートと、
前記検査プレートの下部に形成され、前記検査対象の配置領域に載置された前記検査対象の後面の像を反射して前記検査対象の反射領域に投映する反射鏡と、
を含む目視検査治具。
【請求項２】
前記検査プレートは、
前記検査対象の反射領域に形成され、検査対象ごとの位置情報を含んで前記検査対象の反射領域に投影された検査対象の後面の像でユーザによって選択された不良位置を認識する不良チェックプレートをさらに含む請求項１に記載の目視検査治具。
【請求項３】
前記目視検査治具は、
有線通信または無線通信を介して情報を送受信する有無線通信部をさらに含み、
前記不良チェックプレートは、不良位置情報を前記有無線通信部を介して送出する請求項２に記載の目視検査治具。
【請求項４】
前記不良チェックプレートは、タッチ認識が可能な透明材質のプレートである請求項２に記載の目視検査治具。
【請求項５】
前記反射鏡は、
前記検査対象の後面の像を投映して第２反射鏡に反射する第１反射鏡と、
前記第１反射鏡に連結されるように形成され、前記第１反射鏡から受信した前記検査対象の後面の像を前記検査対象の反射領域に投映する第２反射鏡と、を含み、
前記第１反射鏡及び前記第２反射鏡は、互いに接する面を基準に任意の角を成す請求項１に記載の目視検査治具。
【請求項６】
前記検査対象は、プリント回路基板である請求項１に記載の目視検査治具。
【請求項７】
検査対象の配置領域及び検査対象の反射領域を含み、前記検査対象の配置領域に載置された検査対象の後面の像を反射して前記検査対象の反射領域に投映し、検査対象の不良位置をチェックする目視検査治具と、
前記目視検査治具から受信した不良位置情報を分析して検査対象ごとの不良位置座標を把握及び保存する検査サーバと、
を含む目視検査システム。
【請求項８】
前記目視検査治具は、
検査対象の配置領域及び検査対象の反射領域を含み、前記検査対象の配置領域に検査対象を載置し、透明材質で形成された検査プレートと、
前記検査プレートの下部に形成され、前記検査対象の配置領域に載置された前記検査対象の後面の像を反射して前記検査対象の反射領域に投映する反射鏡と、
を含む請求項７に記載の目視検査システム。
【請求項９】
前記検査プレートは、
前記検査対象の反射領域に形成され、検査対象ごとの位置情報を含んで前記検査対象の反射領域に投影された検査対象の後面の像でユーザによって選択された不良位置を認識する不良チェックプレートをさらに含む請求項８に記載の目視検査システム。
【請求項１０】
前記目視検査治具は、
有線通信または無線通信を介して情報を送受信する有無線通信部をさらに含み、
前記不良チェックプレートは、不良位置情報を前記有無線通信部を介して前記検査サーバに送出する請求項９に記載の目視検査システム。
【請求項１１】
前記不良チェックプレートは、タッチ認識が可能な透明材質のプレートである請求項９に記載の目視検査システム。
【請求項１２】
前記反射鏡は、
前記検査対象の後面の像を投映して第２反射鏡に反射する第１反射鏡と、
前記第１反射鏡に連結されるように形成され、前記第１反射鏡から受信した前記検査対象の後面の像を前記検査対象の反射領域に投映する第２反射鏡と、を含み、
前記第１反射鏡及び前記第２反射鏡は、互いに接する面を基準に任意の角を成す請求項８に記載の目視検査システム。
【請求項１３】
前記検査サーバは、
有線通信または無線通信を介して情報を送受信する有無線通信部と、
前記目視検査治具から受信した不良位置情報を分析し、該座標を把握する座標認識部と、
前記座標認識部で把握した不良位置座標と、該検査対象情報とをマッチングして保存部に保存する不良情報管理部と、
不良位置座標をはじめ、検査サーバに係る情報を保存する保存部と、
を含む請求項７に記載の目視検査システム。
【請求項１４】
前記検査サーバは、
出力部を介して出力された検査対象の後面の像でユーザによって選択された不良位置情報を認識して前記座標認識部に伝送する入力部と、
目視検査治具上に配置された検査対象の像と、該検査対象の位置情報とをマッチングして出力する出力部と、
をさらに含む請求項１３に記載の目視検査システム。
【請求項１５】
前記検査対象は、プリント回路基板である請求項７に記載の目視検査システム。
【発明の詳細な説明】
【技術分野】
【０００１】
本発明は、目視検査治具及びこれを用いた目視検査システムに関する。
【背景技術】
【０００２】
プリント回路基板は、特許文献１に開示しているように、電気的な連結状態を検査したり、または、生産工程中に生じ得るスクラッチなどの破損を検査するなど様々な検査を行う。
【０００３】
一方、プリント回路基板の表面上に生じるスクラッチなどの微細な不良などは、作業者が直接、目視検査により検査している。
【０００４】
通常、プリント回路基板を検査台上に載置し、前面を検査してから裏返してプリント回路基板の後面を検査するが、この際、作業者の取り扱い不注意によってさらに不良が発生する場合が時々発生する。
【先行技術文献】
【特許文献】
【０００５】
【特許文献１】韓国公開特許第１０−２０１０−００２２６２４号公報
【発明の概要】
【発明が解決しようとする課題】
【０００６】
本発明は、上述した従来技術の問題点を解決するためのものであり、本発明の目的は、目視検査を行う際、検査対象を最初に載置した状態のまま前面と後面を検査できるようにする目視検査治具及びこれを用いた目視検査システムを提供することにある。
【課題を解決するための手段】
【０００７】
本発明の実施例による目視検査治具は、検査対象の配置領域及び検査対象の反射領域を含み、前記検査対象の配置領域に検査対象を載置し、透明材質で形成された検査プレートと、前記検査プレートの下部に形成され、前記検査対象の配置領域に載置された前記検査対象の後面の像を反射して前記検査対象の反射領域に投映する反射鏡と、を含むものである。
【０００８】
ここで、前記検査プレートは、前記検査対象の反射領域に形成され、検査対象ごとの位置情報を含んで前記検査対象の反射領域に投影された検査対象の後面の像でユーザによって選択された不良位置を認識する不良チェックプレートをさらに含むことが好ましい。
【０００９】
また、前記目視検査治具は、有線通信または無線通信を介して情報を送受信する有無線通信部をさらに含み、前記不良チェックプレートは、不良位置情報を前記有無線通信部を介して送出することが好ましい。
【００１０】
また、前記不良チェックプレートは、タッチ認識が可能な透明材質のプレートであることが好ましい。
【００１１】
また、前記反射鏡は、前記検査対象の後面の像を投映して第２反射鏡に反射する第１反射鏡と、前記第１反射鏡に連結されるように形成され、前記第１反射鏡から受信した前記検査対象の後面の像を前記検査対象の反射領域に投映する第２反射鏡と、を含み、前記第１反射鏡及び前記第２反射鏡は、互いに接する面を基準に任意の角を成すことが好ましい。
また、前記検査対象は、プリント回路基板であることが好ましい。
【００１２】
他の本発明の目視検査システムは、検査対象の配置領域及び検査対象の反射領域を含み、前記検査対象の配置領域に載置された検査対象の後面の像を反射して前記検査対象の反射領域に投映し、検査対象の不良位置をチェックする目視検査治具と、前記目視検査治具から受信した不良位置情報を分析して検査対象ごとの不良位置座標を把握及び保存する検査サーバと、を含むものである。
【００１３】
ここで、目視検査治具は、検査対象の配置領域及び検査対象の反射領域を含み、前記検査対象の配置領域に検査対象を載置し、透明材質で形成された検査プレートと、前記検査プレートの下部に形成され、前記検査対象の配置領域に載置された前記検査対象の後面の像を反射して前記検査対象の反射領域に投映する反射鏡と、を含むことが好ましい。
【００１４】
また、前記検査プレートは、前記検査対象の反射領域に形成され、検査対象ごとの位置情報を含んで前記検査対象の反射領域に投影された検査対象の後面の像でユーザによって選択された不良位置を認識する不良チェックプレートをさらに含むことが好ましい。
【００１５】
また、前記目視検査治具は、有線通信または無線通信を介して情報を送受信する有無線通信部をさらに含み、前記不良チェックプレートは、不良位置情報を前記有無線通信部を介して前記検査サーバに送出することが好ましい。
【００１６】
また、前記不良チェックプレートは、タッチ認識が可能な透明材質のプレートであることが好ましい。
【００１７】
また、前記反射鏡は、前記検査対象の後面の像を投映して第２反射鏡に反射する第１反射鏡と、前記第１反射鏡に連結されるように形成され、前記第１反射鏡から受信した前記検査対象の後面の像を前記検査対象の反射領域に投映する第２反射鏡と、を含み、前記第１反射鏡及び前記第２反射鏡は、互いに接する面を基準に任意の角を成すことが好ましい。
【００１８】
また、前記検査サーバは、有線通信または無線通信を介して情報を送受信する有無線通信部と、前記目視検査治具から受信した不良位置情報を分析し、該座標を把握する座標認識部と、前記座標認識部で把握した不良位置座標と、該検査対象情報とをマッチングして保存部に保存する不良情報管理部と、不良位置座標をはじめ、検査サーバに係る情報を保存する保存部と、を含むことが好ましい。
【００１９】
また、前記検査サーバは、出力部を介して出力された検査対象の後面の像でユーザによって選択された不良位置情報を認識して前記座標認識部に伝送する入力部と、目視検査治具上に配置された検査対象の像と、該検査対象の位置情報とをマッチングして出力する出力部と、をさらに含むことが好ましい。
【００２０】
また、前記検査対象は、プリント回路基板であることが好ましい。
【発明の効果】
【００２１】
本発明の実施例に係る目視検査治具及びこれを用いた目視検査システムによると、検査プレート上に検査対象を最初に載置した状態のまま検査対象の前面と後面を検査することができるため、検査対象を裏返す過程を省略することができ、これにより生じ得る不良を予め防止することができるという効果が期待できる。
【００２２】
また、本発明の実施例によると、投影された検査対象の像の特定位置を選択する過程により不良をチェックするため、検査対象の不良位置を容易に検出することができるという利点がある。
【図面の簡単な説明】
【００２３】
【図１】本発明の実施例による目視検査治具の構成を示す図面である。
【図２】本発明の実施例による不良チェックプレートの構成を詳細に示す図面である。
【図３】本発明の実施例による目視検査システムの構成を詳細に示す図面である。
【発明を実施するための形態】
【００２４】
本発明の目的、特定の利点及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００２５】
以下、添付図面を参照して、本発明の好ましい実施例を詳細に説明する。
【００２６】
（目視検査治具）
図１は、本発明の実施例による目視検査治具の構成を示す図面であり、図２は、本発明の実施例による不良チェックプレートの構成を詳細に示す図面である。
【００２７】
図１に図示されたように、目視検査治具１００は、検査対象の配置領域及び検査対象の反射領域を含み、検査対象の配置領域に検査対象１０を載置し、透明材質で形成された検査プレート１１０と、検査プレート１１０の下部に形成され、検査対象の配置領域に載置された検査対象の後面１０ｂの像を反射して検査対象の反射領域に投映する反射鏡１２０と、を含むものである。
【００２８】
ここで、図１に図示されたように、目視検査治具１００は、六面体であって、内部に反射鏡１２０を含む形状を有することができ、これに限定されない。
【００２９】
例えば、目視検査治具１００は、検査対象１０を載置する検査プレート１１０と、検査プレート１１０上に載置された検査対象の後面１０ｂの像を検査プレート１１０に投映する反射鏡１２０と、を含むものであれば、上述した六面体以外の様々な形状を有することができる。
【００３０】
また、検査プレート１１０は、検査対象の反射領域に形成され、検査対象ごとの位置情報を含んで検査対象の反射領域に投影された検査対象の後面１０ｂの像でユーザによって選択された不良位置を認識する不良チェックプレート１３０をさらに含むことができる。
【００３１】
この際、不良チェックプレート１３０は、タッチ認識が可能な透明材質のプレートであることができる。
【００３２】
また、不良チェックプレート１３０は、ユーザによって不良位置が選択されると、選択された領域を色相（例えば、青色など）で示すことができる。
【００３３】
例えば、図２に図示されたように、不良チェックプレート１３０は、ユーザによって選択された不良位置を認識できるように座標Ｘ、Ｙが認識された状態であって、座標は透明な状態で肉眼では確認できない場合もあり、これに限定されない。
【００３４】
また、不良チェックプレート１３０は、ユーザによって不良領域（図２の「１」）として選択された位置を座標で認識するものである。この際、正常領域は図２の「０」である。
【００３５】
また、ユーザは、入力手段（例えば、タッチペンなど）（不図示）を用いて不良チェックプレート１３０の特定領域をタッチする動作により、不良をチェックすることができる。
【００３６】
また、ユーザは、顕微鏡２０のような手段を介して検査対象１０の像を拡大し、不良をチェックすることができる。
【００３７】
また、目視検査治具１００は、有線通信または無線通信を介して情報を送受信する有無線通信部（不図示）をさらに含むことができる。
【００３８】
前記不良チェックプレート１３０は、不良位置情報を有無線通信部を介して送出することができる。
【００３９】
この際、不良位置情報は、有無線通信部を介して運用者の端末またはサーバなどに伝送することができ、これに限定されない。
【００４０】
また、反射鏡１２０は、検査対象の後面１０ｂの像を投映して第２反射鏡１２２に反射する第１反射鏡１２１と、第１反射鏡１２１に連結されるように形成され、第１反射鏡１２１から受信した検査対象の後面１０ｂの像を検査対象の反射領域に投映する第２反射鏡１２２と、を含むことができる。
【００４１】
また、第１反射鏡１２１及び第２反射鏡１２２は、互いに接する面を基準に任意の角を成すことができる。
【００４２】
図１に図示されたように、第１反射鏡１２１及び第２反射鏡１２２は、互いに任意の角を成すことで、検査対象の後面の像を投映及び伝送（図１の矢印方向）できるようにする。この際、任意の角は、第１反射鏡１２１及び第２反射鏡１２２が検査対象の後面の像を投映してから伝送し、検査対象の反射領域に投映することができるように任意に設定する角を意味する。
【００４３】
また、検査対象１０は、プリント回路基板であることが好ましいが、これに限定されない。
【００４４】
上述した構造の目視検査治具１００は、検査対象を検査プレート１１０上に最初に載置した状態のまま検査対象の前面と後面の両方を検査することができるため、検査対象を裏返す過程を必要とせず、検査対象の取り扱い不注意で発生するスクラッチなどの様々な不良を予め防止する効果が期待できる。
【００４５】
（目視検査システム）
図３は、本発明の実施例による目視検査システムの構成を詳細に示す図面である。
【００４６】
図３に図示されたように、目視検査システム３００は、検査対象の配置領域及び検査対象の反射領域を含み、検査対象の配置領域に載置された検査対象の後面１０ｂの像を反射して検査対象の反射領域に投映し、検査対象の不良位置をチェックする目視検査治具１００と、目視検査治具１００から受信した不良位置情報を分析して検査対象ごとの不良位置座標を把握及び保存する検査サーバ２００と、を含むものである。
【００４７】
より詳細に説明すると、図３に図示されたように、目視検査治具１００は、検査対象の配置領域及び検査対象の反射領域を含み、検査対象の配置領域に検査対象１０を載置し、透明材質で形成された検査プレート１１０と、検査プレート１１０の下部に形成され、検査対象の配置領域に載置された検査対象の後面１０ｂの像を反射して検査対象の反射領域に投映する反射鏡１２０と、を含むことができる。
【００４８】
また、検査プレート１１０は、検査対象の反射領域に形成され、検査対象ごとの位置情報を含んで検査対象の反射領域に投影された検査対象の後面１０ｂの像でユーザによって選択された不良位置を認識する不良チェックプレート１３０をさらに含むことができる。
【００４９】
この際、不良チェックプレート１３０は、タッチ認識が可能な透明材質のプレートであることができる。
【００５０】
例えば、図２に図示されたように、不良チェックプレート１３０は、ユーザによって選択された不良位置を認識できるように座標Ｘ、Ｙが認識された状態であって、座標は透明な状態で肉眼では確認できない場合もあり、これに限定されない。
【００５１】
また、不良チェックプレート１３０は、ユーザによって不良領域（図２の「１」）として選択された位置を座標で認識するものである。この際、正常領域は図２の「０」である。
【００５２】
また、ユーザは、顕微鏡２０のような手段を介して検査対象１０の像を拡大し、不良をチェックすることができる。
【００５３】
また、目視検査治具１００は、有線通信または無線通信を介して情報を送受信する有無線通信部（不図示）をさらに含むことができる。
【００５４】
前記不良チェックプレート１３０は、不良位置情報を有無線通信部を介して検査サーバ２００に送出することができる。
【００５５】
この際、不良位置情報は、有無線通信部を介して運用者の端末に送信することも可能である。
【００５６】
また、反射鏡１２０は、検査対象の後面１０ｂの像を投映して第２反射鏡１２２に反射する第１反射鏡１２１と、第１反射鏡１２１に連結されるように形成され、第１反射鏡１２１から受信した検査対象の後面１０ｂの像を検査対象の反射領域に投映する第２反射鏡１２２と、を含むことができる。
【００５７】
また、第１反射鏡１２１及び第２反射鏡１２２は、互いに接する面を基準に任意の角を成すことができる。
【００５８】
図３に図示されたように、第１反射鏡１２１及び第２反射鏡１２２は、互いに任意の角を成すことで、検査対象の後面の像を投映及び伝送（図３の矢印方向）することができる。この際、任意の角は、第１反射鏡１２１及び第２反射鏡１２２が検査対象の後面の像を投映してから伝送し、検査対象の反射領域に投映することができるように任意に設定する角を意味する。
【００５９】
一方、検査サーバ２００は、有線通信または無線通信を介して情報を送受信する有無線通信部２１０と、目視検査治具１００から受信した不良位置情報を分析し、該座標を把握する座標認識部２４０と、座標認識部２４０で把握した不良位置座標と、該検査対象情報とをマッチングして保存部２６０に保存する不良情報管理部２５０と、不良位置座標をはじめ、検査サーバ２００に係る情報を保存する保存部２６０と、を含むことができる。
【００６０】
一方、検査対象の後面１０ｂの像で不良位置をチェックする場合、検査プレート１１０上ではなく、検査サーバ２００で選択することも可能である。
【００６１】
より詳細に説明すると、検査サーバ２００は、出力部２３０を介して出力された検査対象の後面１０ｂの像でユーザによって選択された不良位置情報を認識し、座標認識部２４０に伝送する入力部２２０と、目視検査治具１００上に配置された検査対象１０の像と、該検査対象の位置情報とをマッチングして出力する出力部２３０と、をさらに含むことができる。
【００６２】
ここで、出力部２３０は、有無線通信部２１０を介して送信された検査プレート１１０上に載置された検査対象の後面１０ｂの像を受信すると、これをユーザが確認することができるように表示する。この際、出力部２３０は、検査対象の後面１０ｂの像とともに、検査対象の位置情報を保存部２６０から出力する。
【００６３】
このために、保存部２６０は、検査対象ごとの位置情報を予め保存する。
【００６４】
また、目視検査治具１００は、検査プレート１１０上に載置された検査対象１０の像を検査サーバ２００に伝送するために、撮影手段（不図示）をさらに含むことができる。この際、撮影手段は有無線通信が可能であり、有無線通信を介して撮影した検査対象の後面１０ｂの像を検査サーバ２００に伝送する。
【００６５】
一方、出力部２３０は、上述した検査対象の後面１０ｂの像だけでなく、検査サーバ２００に係る情報を出力することも可能である。
【００６６】
また、入力部２２０は、出力部２３０を介して表示される検査対象の後面１０ｂの像で入力手段（例えば、マウス、タッチペンなど）（不図示）を用いてユーザによって選択された不良位置情報を認識した後、不良位置情報を座標認識部２４０に伝送する。
【００６７】
また、入力部２２０は、上述した不良位置情報を認識するだけでなく、検査サーバ２００に係る情報を入力することも可能である。
【００６８】
また、検査対象１０は、プリント回路基板であることが好ましいが、これに限定されない。
【００６９】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００７０】
本発明の単純な変形乃至変更はいずれも本発明の領域に属するものであり、本発明の具体的な保護範囲は添付の特許請求の範囲により明確になるであろう。
【産業上の利用可能性】
【００７１】
本発明は、検査対象を裏返す過程を省略することができ、これにより生じ得る不良を予め防止することができるとともに、検査対象の不良位置を容易に検出することができる目視検査治具及びこれを用いた目視検査システムに適用可能である。
【符号の説明】
【００７２】
１０  検査対象
１０ａ  検査対象の前面
１０ｂ  検査対象の後面
２０  顕微鏡
１００  目視検査治具
１１０  検査プレート
１２０  反射鏡
１２１  第１反射鏡
１２２  第２反射鏡
１３０  不良チェックプレート
２００  検査サーバ
２１０  有無線通信部
２２０  入力部
２３０  出力部
２４０  座標認識部
２５０  不良情報管理部
２６０  保存部
３００  目視検査システム
【図１】
2013101118.tif 000003
【図２】
2013101118.tif 000004
【図３】
2013101118.tif 000005